(57)【要約】【課題】嵌合形状の異なる複数の携帯電話機のインターフェイスコネクタに接続し得るコネクタを提供する。【解決手段】携帯電話機のインターフェイスコネクタに嵌合して接続されるコネクタの接続部２が、嵌合形状の異なる複数の携帯電話機のインターフェイスコネクタにそれぞれ個別に接続される複数の接続コネクタ３、４を有する。複数の接続コネクタ３、４がコネクタ体６に配設され、該コネクタ体６が、前記複数の接続コネクタ３、４の全てをそれぞれ対応するインターフェイスコネクタに嵌合し得る嵌合位置に可変可能に前記接続部２に設けられていることが好ましい。【選択図】　　　　図１
2004146317.tif 000002
【特許請求の範囲】
【請求項１】
携帯電話機のインターフェイスコネクタに、接続部を嵌合して携帯電話機と接続するコネクタであって、前記接続部が、嵌合形状の異なる複数の携帯電話機のインターフェイスコネクタにそれぞれ個別に接続される複数の接続コネクタを有することを特徴とする携帯電話機用コネクタ。
【請求項２】
前記複数の接続コネクタがコネクタ体に配設され、該コネクタ体が、前記複数の接続コネクタの全てをそれぞれ対応するインターフェイスコネクタに嵌合し得る嵌合位置に可変可能に前記接続部に設けられている請求項１に記載の携帯電話機用コネクタ。
【請求項３】
前記コネクタ体が、前記接続部に回転自在に設けられている請求項２に記載の携帯電話機用コネクタ。
【請求項４】
前記コネクタ体が、前記接続部に着脱自在に設けられている請求項２に記載の携帯電話機用コネクタ。
【請求項５】
前記コネクタ体が、前記接続部にスライド係合して位置決めされる請求項４に記載の携帯電話機用コネクタ。
【請求項６】
前記コネクタ体の前記接続部へのスライド方向が、嵌合を行う接続コネクタの嵌合方向とほぼ直角な方向である請求項５に記載の携帯電話機用コネクタ。
【請求項７】
前記接続部に、前記コネクタ体が嵌合されると共に、該嵌合されたコネクタ体と電気的に接続される連結端子を有する接続凹部を設け、前記コネクタ体が、前記接続コネクタを２つ対向する一端部と他端部とに有し、その一方の接続コネクタから前記接続凹部に挿入されて前記接続凹部に嵌合すると共に、他方の接続コネクタから挿入されても前記接続凹部に嵌合するように形成されている請求項２に記載の携帯電話機用コネクタ。
【請求項８】
前記請求項１、２、３、４、５、６又は７に記載の携帯電話機用コネクタが、前記携帯電話機の内蔵電池を充電する充電装置に設けられていることを特徴とする携帯電話機用充電装置。
【請求項９】
前記充電装置が、前記携帯電話機用コネクタに電池に接続可能な電池接続端子を設けてなる充電コネクタである請求項８に記載の携帯電話機用充電装置。
【請求項１０】
前記充電装置が携帯電話機用充電池である請求項８に記載の携帯電話機用充電装置。
【請求項１１】
前記充電装置が、給電源としての電池を交換可能に収容する本体を備えてなる携帯電話機用充電器である請求項８に記載の携帯電話機用充電装置。
【請求項１２】
前記充電装置の給電源が商用電源である請求項８に記載の携帯電話機用充電装置。
【発明の詳細な説明】
【０００１】
【発明の属する技術分野】
本発明は、嵌合形状の異なる複数の携帯電話機のインターフェイスコネクタに接続することができる携帯電話機用コネクタ及び携帯電話機用充電装置に関するものである。
【０００２】
【従来の技術】
携帯電話機は、電源としてリチウム電池やニッカド電池などの二次電池である充電可能な電池（バッテリー）を内蔵している。電池切れの場合には、通常、付属している充電器（付属充電器）を用いて商用電源（ＡＣ電源）等から内蔵電池の充電を行っている。
【０００３】
付属充電器は、商用電源のコンセントに電気的に接続するためのプラグと、携帯電話機の許容電圧に調節する電圧部と、携帯電話機のインターフェイスコネクタに挿入嵌合して電気的に接続する接続コネクタとからなる。この付属充電器のプラグを商用電源のコンセントに差し込むと共に、接続コネクタを携帯電話機のインターフェイスコネクタに挿入嵌合して接続することにより、商用電源によって携帯電話機の内蔵電池が充電される。
【０００４】
また、携帯電話機の内蔵電池を充電するものとして、外出先でも簡単に内蔵電池の充電を行え、携帯性に優れた携帯電話機用充電器が提案されている。
この携帯電話機用充電器は、市販されている単３乾電池３本を交換可能に収容する本体と、その本体の開口部を開閉する着脱自在な蓋と、単３乾電池を直列接続するための連結端子及び直列接続した乾電池のプラス電極とマイナス電極とに接続される２つの接続端子と、本体の一側部に設けられ、その接続端子の一部が取り付けられると共に携帯電話機のインターフェイスコネクタに嵌合される接続コネクタと、を備えたものである。この携帯電話機用充電器の本体に単３乾電池３本を収容し、接続コネクタを携帯電話機のインターフェイスコネクタに挿入して嵌合することにより、単３乾電池と携帯電話機の内蔵電池とが電気的に接続されて、乾電池によって携帯電話機の内蔵電池が充電される。
【０００５】
【発明が解決しようとする課題】
ところで、前述の付属充電器及び携帯電話機用充電器は、いずれも接続コネクタを携帯電話機のインターフェイスコネクタに挿入して嵌合することにより、充電器が携帯電話機の内蔵電池と電気的に接続されて、内蔵電池を充電することができる。
付属充電器の接続コネクタは、同一機種でも他のメーカーの携帯電話機に接続することができないように形成されており、これは仕方がないことではある。しかし、携帯電話機用充電器の接続コネクタは、市販されている多くの携帯電話機に対応することができるものであればよいが、携帯電話機のインターフェイスコネクタの形状（嵌合形状）が異なる場合には接続することができない。
【０００６】
すなわち、例えば、市販されている携帯電話機の多くは、ＰＤＣ（Ｐｅｒｓｏｎａｌ　Ｄｉｇｉｔａｌ　Ｃｅｌｌｕｌａｒｓｙｓｔｅｍ：デジタル携帯電話）とＣＤＭＡ（Ｃｏｄｅ　Ｄｉｖｉｓｉｏｎ　Ｍｕｌｔｉｐｌｅ　Ａｃｃｅｓｓ：符号分割多重接続）との２つの方式を利用したものであり、ＰＤＣ方式を利用した携帯電話機とＣＤＭＡ方式を利用した携帯電話機とではインターフェイスコネクタの嵌合形状が異なる。携帯電話機用充電器の接続コネクタの嵌合形状は、どちらか一方の方式の（特定の）携帯電話機のインターフェイスコネクタに嵌合するように形成されていると、嵌合形状が異なる他の携帯電話機のインターフェイスコネクタに挿嵌することができない。つまり、携帯電話機用充電器は、嵌合形状が異なる他の携帯電話機の充電を行うことができない。なお、同一の方式を利用した携帯電話機では、メーカーによってインターフェイスコネクタは多少の形状の違いがあるが、これは１つの形状の接続コネクタで対応可能であるので、その場合には、インターフェイスコネクタの形状が同一とする。
【０００７】
このため、携帯電話機用充電器としては、例えば、ＰＤＣ方式を利用した携帯電話機用のものと、ＣＤＭＡ方式を利用した携帯電話機用のものとの２種類のものが必要になり、２種類が販売されていると間違って別の種類の充電器を購入することもあり得る。その場合には、嵌合形状が合わず携帯電話機の充電を行えないので、無駄になってしまう。
【０００８】
そこで、本発明は、このような実状に鑑みなされたものであり、その目的は、嵌合形状の異なる複数の携帯電話機のインターフェイスコネクタに接続することができる携帯電話機用コネクタ及び携帯電話機用充電装置を提供することにある。
【０００９】
【課題を解決するための手段】
前記目的を達成するために、本発明の携帯電話機用コネクタは、携帯電話機のインターフェイスコネクタに、接続部を嵌合して携帯電話機と接続するコネクタであって、前記接続部が、嵌合形状の異なる複数の携帯電話機のインターフェイスコネクタにそれぞれ個別に接続される複数の接続コネクタを有するものである。
【００１０】
前記複数の接続コネクタがコネクタ体に配設され、該コネクタ体が、対応するインターフェイスコネクタに応じて前記複数の接続コネクタのうちの１つ又は複数の接続コネクタの位置を嵌合位置に可変可能に前記接続部に設けられていることが好ましい。
前記コネクタ体が、前記接続部に着脱自在に設けられていることが好ましい。前記コネクタ体が、前記接続部にスライド係合して位置決めされることが好ましい。
前記コネクタ体の前記接続部へのスライド方向が、使用する接続コネクタの嵌合方向とほぼ直角な方向であることが好ましい。
前記コネクタ体が、前記接続部に回転自在に設けられていることが好ましい。前記接続部に、前記コネクタ体が嵌合されると共に、該嵌合されたコネクタ体と電気的に接続される連結端子を有する接続凹部を設け、前記コネクタ体が、対応するインターフェイスコネクタが異なる２つの接続コネクタを対向する一端部と他端部とに有し、その一方の接続コネクタから挿入されたとき前記接続凹部に嵌合すると共に、他方の接続コネクタから挿入されたときも前記接続凹部に嵌合するように形成されていることが好ましい。
【００１１】
また、本発明の携帯電話機用充電装置は、前記携帯電話機用コネクタが、前記携帯電話機の内蔵電池を充電する充電装置に設けられているものである。
前記充電装置が、前記携帯電話機用コネクタに電池に接続可能な電池接続端子を設けてなる充電コネクタであることが好ましい。
前記充電装置が携帯電話機用充電池であることが好ましい。
前記充電装置が、給電源としての電池を交換可能に収容する本体を備えてなることが好ましい。
前記充電装置の給電源が商用電源であることが好ましい。
【００１２】
【発明の実施の形態】
以下、本発明の実施の形態を添付図面に基づいて詳述する。
図１乃至図４は本発明の第１の携帯電話機用コネクタが示されている図である。図１乃至図４において、１は携帯電話機用コネクタを示し、この携帯電話機用コネクタ１は、携帯電話機（図示せず）のインターフェイスコネクタに接続、例えば電気的に接続されるものである。
【００１３】
携帯電話機には、通信データの送受信や内蔵されている充電可能な内蔵電池（バッテリー）の充電等を行えるようにインターフェイスコネクタが設けられている。
インターフェイスコネクタは、メス型のコネクタであり、このインターフェイスコネクタには、断面ほぼ細長の矩形状の嵌合凹部内に例えば１６個のコネクタ端子を有する端子部が嵌合凹部の深さ方向に沿って立設されている。インターフェイスコネクタは、未使用時、ゴミ等が入らないようにカバー（図示せず）が装着されている。
【００１４】
携帯電話機用コネクタ１の接続部２は、嵌合形状の異なる複数の携帯電話機のインターフェイスコネクタにそれぞれ個別に接続される複数、図示例では２つの接続コネクタ（第１コネクタ３、第２コネクタ４）を有する。本発明における嵌合形状の異なる複数の携帯電話機のインターフェイスコネクタとは、インターフェイスコネクタの嵌合形状が異なり共通のコネクタでは接続、特に電気的な接続を行えないようなインターフェイスコネクタである。このようなインターフェイスコネクタとしては、例えば、ＰＤＣ（Ｐｅｒｓｏｎａｌ　Ｄｉｇｉｔａｌ　Ｃｅｌｌｕｌａｒｓｙｓｔｅｍ：デジタル携帯電話）とＣＤＭＡ（Ｃｏｄｅ　Ｄｉｖｉｓｉｏｎ　Ｍｕｌｔｉｐｌｅ　Ａｃｃｅｓｓ：符号分割多重接続）との２つの方式を利用したインターフェイスコネクタがある。なお、嵌合形状の異なるインターフェイスコネクタとしては、他にも例えばＰＨＳに用いられているコネクタ等があるが、本実施の形態では、これら２つのインターフェイスコネクタの場合について説明する。また、同一の方式を利用した携帯電話機では、メーカーによってインターフェイスコネクタは多少の形状の違いがあるが、これは１つの形状の接続コネクタで対応可能であるので、その場合には、インターフェイスコネクタの形状が同一とする。
【００１５】
携帯電話機用コネクタ１は、通信データの送受信を行うコネクタであってもよいが、本発明の実施の形態では、内蔵電池の充電を行う充電コネクタについて説明する。携帯電話機用コネクタ１は、コネクタ本体５の一端部に接続部２が設けられてなるものである。
【００１６】
接続部２は、嵌合形状の異なる２つの携帯電話機のインターフェイスコネクタ（ＰＤＣ方式を利用したインターフェイスコネクタとＣＤＭＡ方式を利用したインターフェイスコネクタ）にそれぞれ個別に接続される２つの接続コネクタ（第１コネクタ３、第２コネクタ４）を有する。なお、接続部２は、２つの接続コネクタ（第１コネクタ３、第２コネクタ４）を有するが、これら第１コネクタ３、第２コネクタ４及び嵌合形状の異なる他のインターフェイスコネクタに嵌合接続される接続コネクタから選ばれた２種の接続コネクタ又は３種以上の接続コネクタを有するものでもよい。
【００１７】
接続コネクタの接続部２への配設は、それぞれの接続コネクタが対応するインターフェイスコネクタに嵌合接続できるならばどのようにしてもよく、例えば、三角形状に形成した接続部の２辺に個別に２つの接続コネクタを設けるようにしてもよいし、四角形状に形成した接続部の３辺に個別に３つの接続コネクタを設けるようにしてもよい。
具体的に例えば、図示するように、接続部２の主たる構成要素である回転自在に設けられたほぼ四角柱状のコネクタ体６に第１コネクタ３と第２コネクタ４とを設けるようにしてもよい。
つまり、コネクタ体６の一側面には、その長手方向に沿うと共に、その側面に対してほぼ直交する方向に沿って延在する第１コネクタ３が立設されている。
【００１８】
第１コネクタ３は、ＰＤＣ方式を利用した携帯電話機のインターフェイスコネクタ（ＰＤＣインターフェイスコネクタ）の嵌合凹部に挿入されて嵌合されるオス型のコネクタであり、断面ほぼ細長の矩形状に形成されている。第１コネクタ３には、ＰＤＣインターフェイスコネクタの端子部が嵌合される端子凹部７が設けられている。端子凹部７には、第１プラス端子（図示せず）と第１マイナス端子（図示せず）とが設けられており、端子凹部７にＰＤＣインターフェイスコネクタの端子部が嵌合されたとき、第１プラス端子、第１マイナス端子と端子部の内蔵電池の外部出入力端子（給電端子）とが電気的に接続されて、内蔵電池の充電が行われるようになっている。
第１プラス端子、第１マイナス端子の外部出入力端子と接触する部分には、外部出入力端子との接続が確実に行われるように突部を設けるようにしてもよい。
【００１９】
第１コネクタ３の壁部であって幅の長い両壁部（両長壁部）８、８には、ＰＤＣインターフェイスコネクタの嵌合凹部の対応する内壁とそれぞれ嵌合し得るように溝や突条（突出した部分）が複数設けられている。すなわち、第１コネクタ３を嵌合凹部に挿入して嵌合するとき、長壁部８を逆に（第１コネクタ３を上下左右を逆に）挿入しようとしても、挿入できないような形状に両長壁部８、８が形成されている。
【００２０】
第１コネクタ３には、ＰＤＣインターフェイスコネクタに挿嵌したとき、第１コネクタ３がＰＤＣインターフェイスコネクタから抜け難くする抜出抑制部（図示せず）を設けることが好ましい。
抜出抑制部は、どのように構成してもよく、例えば、第１コネクタ３の残りの両壁部（両短壁部）９、９に、ＰＤＣインターフェイスコネクタの嵌合凹部を形成する内壁又は内壁に設けられた係合部と係合して第１コネクタ３を係止する係止部をそれぞれ一体的に又は個別に設けて構成するようにしてもよい。
【００２１】
一体的に設けられる係止部としては、嵌合方向に沿って延在すると共に、短壁部９内に可撓可能に形成される。係止部の外表面には、例えば断面ほぼ半円形状の突部（係合突部）が設けられ、この突部が嵌合凹部の内壁の係合部（図示せず）と係合し、第１コネクタ３がインターフェイスコネクタから抜け難くなる。
【００２２】
抜出抑制部としては、係止部を設けて構成してもよいが、第１コネクタ３の両短壁部９に、第１コネクタ３の延在方向に沿って延在し、端子凹部に連通されるスリットを設けて構成してもよい。この場合、第１コネクタ３の長壁部８の幅（長壁部の外表面の幅）は、対応する嵌合凹部の長内壁の幅より大きく、好ましくは少し大きく形成することがよい。
スリットは、第１コネクタ３の長壁部８の幅を弾性変形により短くするものであり、スリットの幅は、長壁部８の幅を弾性変形により嵌合凹部の長内壁の幅以下にする範囲から任意に決められる。
【００２３】
コネクタ体６の前記一側面と対向する対向側面（第１コネクタ３が設けられている側面とは対向する側面）には、その長手方向に沿うと共に、その側面に対してほぼ直交する方向に沿って延在する第２コネクタ４が立設されている。
【００２４】
第２コネクタ４は、ＣＤＭＡ方式を利用した携帯電話機のインターフェイスコネクタ（ＣＤＭＡインターフェイスコネクタ）の嵌合凹部に挿入されて嵌合されるオス型のコネクタであり、断面ほぼ細長の矩形状に形成されている。第２コネクタ４には、ＣＤＭＡインターフェイスコネクタの端子部が嵌合される端子凹部１０が設けられている。端子凹部１０には、第２プラス端子（図示せず）と第２マイナス端子（図示せず）とが設けられており、端子凹部にＣＤＭＡインターフェイスコネクタの端子部が嵌合されたとき、第２プラス端子、第２マイナス端子と端子部の内蔵電池の外部出入力端子（給電端子）とが電気的に接続されて、内蔵電池の充電が行われるようになっている。
【００２５】
第２プラス端子、第２マイナス端子の外部出入力端子と接触する部分には、外部出入力端子との接続が確実に行われるように突部を設けるようにしてもよい。
【００２６】
第２コネクタ４の壁部であって幅の長い両壁部（両長壁部）１１、１１には、ＣＤＭＡインターフェイスコネクタの嵌合凹部の対応する内壁とそれぞれ嵌合し得るように溝等が設けられている。すなわち、第２コネクタ４を嵌合凹部に挿入して嵌合するとき、長壁部１１を逆に（第２コネクタ４を上下左右を逆に）挿入しようとしても、挿入できないような形状に両長壁部１１、１１が形成されている。
【００２７】
第２コネクタ４には、ＣＤＭＡインターフェイスコネクタに挿嵌したとき、第２コネクタ４がＣＤＭＡインターフェイスコネクタから抜け難くする抜出抑制部（図示せず）を設けることが好ましい。
【００２８】
コネクタ体６の両端面のほぼ中央部には、その端面に対してほぼ直交する方向に沿って延在する回転軸２７がそれぞれ立設されている。また、コネクタ体６の両端面の回転軸２７の上下には、接続端子１２、１２が設けられている。これら接続端子１２、１２は、どちらか一方がプラス端子であり、第１プラス端子と第２プラス端子とに電気的に接続されている。接続端子１２の他方がマイナス端子であり、第１マイナス端子と第２マイナス端子とに電気的に接続されている。なお、第１プラス端子と第２プラス端子とは１つの端子で形成してもよいし、それぞれ個別に形成してもよい。また、第１マイナス端子と第２マイナス端子とも１つの端子で形成してもよいし、それぞれ個別に形成してもよい。
回転軸１２は、好ましくは断面長方形状の棒状であって、幅が広い２つの幅広面がコネクタ体６の一側面と対向側面とにほぼ平行になるように形成することがよい。
【００２９】
コネクタ本体５は、例えばプラスチック等の樹脂によりコ字状に形成されている。コネクタ本体５の両側部１３、１３の内面の間隔は、コネクタ体６の長さ（両端面間の長さ）より長く、好ましくは若干長い寸法であることがよい。
コネクタ本体５の両側部１３、１３の対向する内面の先端部の近傍には、コネクタ体の回転軸２７が挿入されて、コネクタ体５を回動可能又は回転可能に支持する支持孔１４、１４がそれぞれ設けられている。これら支持孔１４、１４は、コネクタ体６を第１コネクタ３又は第２コネクタ４が側部１３の延在方向に沿って延在し、対応するインターフェイスコネクタに嵌合し得る位置に係止させると共に、接続端子１２を軸に１８０°回動させて他方のコネクタを対応するインターフェイスコネクタに嵌合し得る位置に位置させるように構成されている。具体的には例えば、支持孔１４は、側部１３の延在方向に対して直交する方向へのコネクタ体６の移動が抑制されると共に、側部１３の延在方向の長さが回転軸２７の幅広面の間隔と同じ寸法又は若干大きな寸法に形成されている。なお、コネクタ体６の位置決めは、コネクタ体６の回転軸２７の形状と支持孔１４の形状とにより行ったが、これに限定されず、他の構成により行うようにしてもよい。
【００３０】
コネクタ本体５内には、コネクタ体６の接続端子１２と電気的に接触する連結端子１５、１５がそれぞれ設けられている。
連結端子１５、１５は、携帯電話機用コネクタ１が設けられる充電装置によって異なるが、携帯電話機の内蔵電池を充電する給電源１６又は給電源１６に接続される例えば電池接続端子１７、１８に電気的に接続される。給電源１６としては、携帯電話機の内蔵電池に直接充電できるようにできるだけ内蔵電池の電圧に近い電圧値になるようにするものが好ましい。このとき、そのまま接続し充電することができない場合には、例えば、コネクタ本体５内に電圧調節部（制御回路）１９を設けることが好ましい。
【００３１】
電圧調節部１９は、給電源１６からの電圧を、充電を行う携帯電話機の内蔵電池の許容電圧に調節するものであり、例えば、ダイオード、抵抗、レギュレータ、昇圧回路等により構成される。具体的には例えば、電圧調節部１９は、携帯電話機の内蔵電池の電圧が５．３Ｖである場合には、出力電圧が６．０〜６．８Ｖとなるように例えば抵抗とダイオードを接続してなる。また、給電源１６からの電圧が内蔵電池の電圧より低い場合には電圧調節部１９は昇圧回路となる。また、電圧調節部１９は、出力電圧が所定の電圧（携帯電話機の内蔵電池の許容電圧）にない場合には、それを検出して出力電圧が所定の電圧になるように調節する調節制御回路を有するものである。調節制御回路は、例えば、給電源１６に用いられる電池が一次電池（例えば市販の単＊型の乾電池は電圧が約１．５Ｖ（±０．３Ｖ））と二次電池（例えば市販の充電可能な電池は電圧が約１．２Ｖ（±０．３Ｖ））とでは出力電圧が異なるため、一次電池を用いた場合と二次電池を用いた場合とではどちらか一方の出力電圧が所定の電圧にならないときがあるので、出力電圧が所定の電圧にならないときに出力電圧が所定の電圧になるように調節するように構成されている。つまり、調節制御回路は、例えば、一次電池を使用した場合では携帯電話機の内蔵電池の充電を行えるが、二次電池を使用した場合では携帯電話機の内蔵電池の充電を行えない場合があるので、一次電池と二次電池との両方で携帯電話機の内蔵電池の充電を行えるようにするためのものである。
【００３２】
充電装置としては、携帯電話機の内蔵電池を充電することができるならばどのようなものでもよく、例えば、電池に接続可能な電池接続端子１７、１８を設けてなる充電コネクタ２０、携帯電話機用充電池、給電源１６としての電池を交換可能に収容する本体２１を備えてなる携帯電話機用充電器２２、給電源１６が商用電源である充電器２３等があげられる。
【００３３】
充電コネクタ２０としては、携帯電話機の内蔵電池を充電することができるならばどのように構成してもよい。具体的には例えば、図３に示すように、コネクタ本体５の接続部２とは反対側の端部に、電池に接続可能な電池接続端子１７、１８を設けて、充電コネクタ２０を構成してもよい。
電池接続端子１７、１８としては、電池を接続することができるならばどのように構成してもよく、図示するように、電池のプラス極に接続されるプラス電池接続端子１７と、そのマイナス極に接続されるマイナス電池接続端子１８とからなるようにしてもよい。
電池接続子１７、１８には、連結端子１５、１５が電圧調節部１９を介して、又は電圧調節部１９を介さずに電気的に接続されている。
【００３４】
この充電コネクタ２０の場合、給電源１６は電池接続端子１７、１８に接続される電池２４である。電池２４は、電池であればとくに限定されず、１次電池でも２次電池でもよい。
【００３５】
携帯電話機用充電池（図示せず）としては、１次電池でも２次電池でもよい。具体的には例えば、携帯電話機用充電池は、１次電池の場合には市販乾電池と同様に使い捨てタイプのもので、例えば市販されている単３、単４乾電池等の単＊乾電池に使用されている電池セルが１つ又は２つ以上電池本体内に収容され、この電池本体の一端部（一側部）に、携帯電話機用コネクタが一体的に又は個別に取り付けられてなる。
【００３６】
電池を交換可能な携帯電話機用充電器２２としては、電池の交換を行えて繰り返し携帯電話機の内蔵電池の充電を行えるならばどのように構成してもよい。
携帯電話機用充電器２２は、具体的には例えば、図１及び図２に示すように、電池を１つ又は２つ以上を交換可能に収容する充電器本体２１と、その充電器本体２１の開口部を開閉する蓋２５と、充電器本体２１の一端部（一側部）に一体的に又は個別に取り付けられた携帯電話機用コネクタ１と、充電器本体２１に収容された電池を接続する端子（図示せず）と、その端子により接続された電池のプラス極及びマイナス極と携帯電話機用コネクタ１の連結端子１５、１５とを接続する接続端子（図示せず）とからなる。なお、携帯電話機用コネクタ１を携帯電話機用充電器２２のコネクタとして使用して、電圧調節部１９を設ける場合には、電圧調節部１９の位置は、携帯電話機用コネクタ１内でも充電器本体２１内でもどちらでもよい。
【００３７】
商用電源を用いる充電器２３は、給電源１６に商用電源を用いるものであればどのように構成してもよく、例えば、商用電源のコンセントに電気的に接続するためのプラグと、携帯電話機の許容電圧に調節する電圧部と、その電圧部に適宜長さを有する電線を介して接続された携帯電話機用コネクタとからなる。なお、プラグと電圧部とは、一体的に形成してもよいし、それぞれ個別に形成してもよい。また、図４に示すように、電圧部２６と携帯電話機用コネクタ１とは、一体的に形成してもよいし、それぞれ個別に形成してもよい。
【００３８】
さて、この携帯電話機用コネクタ１を用いて、例えばＰＤＣ方式を利用した携帯電話機の内蔵電池を充電する場合には、図１、図３及び図４に示すように、携帯電話機用コネクタ１の第１コネクタ３がＰＤＣインターフェイスコネクタに嵌合し得る状態であれば、第１コネクタ３をＰＤＣインターフェイスコネクタの嵌合凹部につき合わせる。また、図２に示すように、第１コネクタ３がＰＤＣインターフェイスコネクタに嵌合し得る状態でないとき、つまり、第１コネクタ３が接続部２内に位置されているときには、コネクタ体を１８０°回動させて、図１、図３及び図４に示すように、第１コネクタ３をコネクタ本体５から突出させる。この第１コネクタ３をＰＤＣインターフェイスコネクタの嵌合凹部につき合わせる。
【００３９】
つき合わせた第１コネクタ３を嵌合凹部内に挿入して嵌合する。これにより、第１コネクタ３の第１プラス端子、第１マイナス端子とＰＤＣインターフェイスコネクタの特定のコネクタ端子（内蔵電池の外部出入力端子（給電端子））とが電気的に接続されて、給電源１６により内蔵電池（バッテリー）の充電が行われる。このとき、第１コネクタ３に抜出抑制部を設けることにより、第１コネクタ３がＰＤＣインターフェイスコネクタから抜け出ることなく充電を行える。
【００４０】
また、ＣＤＭＡ方式を利用した携帯電話機の内蔵電池を充電する場合には、図２に示すように、携帯電話機用コネクタの第２コネクタ４がＣＤＭＡインターフェイスコネクタに嵌合し得る状態であれば、第２コネクタ４をＣＤＭＡインターフェイスコネクタの嵌合凹部につき合わせる。また、図１、図３及び図４に示すように、第２コネクタ４がＣＤＭＡインターフェイスコネクタに嵌合し得る状態でないとき、つまり、第２コネクタ４が接続部２内に位置されているときには、図２に示すように、コネクタ体を１８０°回動させて、第２コネクタ４をコネクタ本体５から突出させる。この第２コネクタ４をＣＤＭＡインターフェイスコネクタの嵌合凹部につき合わせる。
【００４１】
つき合わせた第２コネクタ４を嵌合凹部内に挿入して嵌合する。これにより、第２コネクタ４の第２プラス端子、第２マイナス端子とＣＤＭＡインターフェイスコネクタの特定のコネクタ端子（内蔵電池の外部出入力端子（給電端子））とが電気的に接続されて、給電源１６により内蔵電池（バッテリー）の充電が行われる。このとき、第２コネクタ４に抜出抑制部を設けることにより、第２コネクタ４がＣＤＭＡインターフェイスコネクタから抜け出ることなく充電を行える。
【００４２】
したがって、本発明の携帯電子機器用コネクタ１は、携帯電話機のインターフェイスコネクタに応じて対応したコネクタ３、４を選べることができるので、嵌合形状の異なる複数の携帯電話機のインターフェイスコネクタに接続することができる。このため、携帯電子機器用コネクタ１を充電装置に設けることにより、嵌合形状の異なる複数の携帯電話機の充電を行えることになる。
【００４３】
図５及び図６には、本発明の第２の携帯電話機用コネクタが示されている。図５及び図６において、３０は携帯電話機用コネクタを示し、この携帯電話機用コネクタ３０の前記携帯電話機用コネクタ１との異なるところは、コネクタ体３１を着脱自在にして２つの接続コネクタの対応するインターフェイスコネクタに嵌合し得る嵌合位置に変えられるようにした点である。前記携帯電話機用コネクタ１と同一部分には同一の符号を付し、その説明を省略する。
【００４４】
このコネクタ体３１の前記コネクタ体６と異なるところは、両端面に接続端子が設けられていない点であり、また、第１プラス端子と第２プラス端子とが電気的に接続されていると共に、第１マイナス端子と第２マイナス端子とが電気的に接続されている。
【００４５】
コネクタ本体３２は、例えばプラスチック等の樹脂により形成されている。コネクタ本体３２の上面となる一部には、コネクタ体３１が嵌合される接続凹部３３が設けられている。
接続凹部３３は、コネクタ体３１を第２コネクタ４から接続凹部３３内に挿入してからコネクタ体６と嵌合すると共に、コネクタ体６を第１コネクタ３から接続凹部３３内に挿入してからコネクタ体３１とも嵌合し得るように形成されている。つまり、接続凹部３３は、第１コネクタ３、第２コネクタ４のどちらから挿入しても嵌合し得る形状に形成されている。
【００４６】
コネクタ体３１及び接続凹部３３には、コネクタ体３１を接続凹部３３に嵌合させたとき、コネクタ体３１が接続凹部３３から抜け難くする係合手段（図示せず）を設けることが好ましい。係合手段は、どのように構成してもよく、例えば、コネクタ体３１及び接続凹部３３に、係合凹部及びその係合凹部に係合する係合凸部を設けるようにしてもよい。
また、コネクタ体３１及び接続凹部３３は、コネクタ体３１の接続凹部３３への嵌合が左右が逆にならないように、つまりコネクタ体３１のプラスマイナスとコネクタ本体３２のプラスマイナスとが逆にならないように構成することが好ましく、例えば、溝や突部等を設けるようにしてもよい。
【００４７】
接続凹部３３内には、２つの連結端子３４が立設されており、これら連結端子３４は、どちらか一方がプラス連結端子３４で、他方がマイナス連結端子３４である。これらプラス連結端子３４、マイナス連結端子３４は、コネクタ体３１を接続凹部３３に嵌合させたとき、接続凹部３３内に位置された第１コネクタ３の第１プラス端子又は第２コネクタ４の第２プラス端子とプラス連結端子３４とが電気的に接続されると共に、第１コネクタ３の第１マイナス端子又は第２コネクタ４の第２マイナス端子とマイナス連結端子３４とが電気的に接続されるように配設されている。
【００４８】
連結端子３４は、携帯電話機用コネクタが設けられる充電装置によって異なるが、携帯電話機の内蔵電池を充電する給電源１６又は給電源１６に接続される例えば電池接続端子１７、１８に電気的に接続される。給電源１６としては、携帯電話機の内蔵電池に直接充電できるようにできるだけ内蔵電池の電圧に近い電圧値になるようにするものが好ましい。このとき、そのまま接続し充電することができない場合には、例えば、コネクタ本体３２内に電圧調節部（制御回路）１９を設けることが好ましい。
【００４９】
充電装置としては、携帯電話機の内蔵電池を充電することができるならばどのようなものでもよく、例えば、電池に接続可能な電池接続端子１７、１８を設けてなる充電コネクタ３５、携帯電話機用充電池、給電源１６としての電池２４を交換可能に収容する本体２１を備えてなる携帯電話機用充電器３６、給電源が商用電源である充電器等があげられる。
【００５０】
充電コネクタ３５としては、携帯電話機の内蔵電池を充電することができるならばどのように構成してもよい。具体的には例えば、図６に示すように、コネクタ本体３２の接続部３７とは反対側の端部に、電池に接続可能な電池接続端子１７、１８を設けて、充電コネクタ３５を構成してもよい。
電池接続端子としては、電池を接続することができるならばどのように構成してもよく、図示するように、電池２４のプラス極に接続されるプラス端子１７と、そのマイナス極に接続されるマイナス端子１８とからなるようにしてもよい。電池接続子１７、１８には、連結端子３４が電圧調節部１９を介して、又は電圧調節部１９を介さずに電気的に接続されている。
【００５１】
電池を交換可能な携帯電話機用充電器３６としては、電池の交換を行えて繰り返し携帯電話機の内蔵電池の充電を行えるならばどのように構成してもよい。
携帯電話機用充電器３６は、具体的には例えば、図５に示すように、電池２４を１つ又は２つ以上を交換可能に収容する充電器本体２１と、その充電器本体２１の開口部を開閉する蓋２５と、充電器本体２１の一端部（一側部）に一体的に又は個別に取り付けられた携帯電話機用コネクタ３０と、充電器本体２１に収容された電池を接続する端子と、その端子により接続された電池のプラス極及びマイナス極と携帯電話機用コネクタ３０の連結端子３４とを接続する接続端子とからなる。
【００５２】
さて、この携帯電話機用コネクタ３０を用いて、例えばＰＤＣ方式を利用した携帯電話機の内蔵電池を充電する場合には、図５及び図６に示すように、携帯電話機用コネクタ３０の第１コネクタ３がＰＤＣインターフェイスコネクタに嵌合し得る状態であれば、第１コネクタ３をＰＤＣインターフェイスコネクタの嵌合凹部につき合わせる。また、第１コネクタ３がＰＤＣインターフェイスコネクタに嵌合し得る状態でないとき、つまり、第１コネクタ３が接続凹部３３内に位置されているときには、コネクタ体３１を接続凹部３３から抜き取る。抜き取ったコネクタ体３１を第２コネクタ４が接続凹部３３内に位置されるように接続凹部３３に嵌合させて、第１コネクタ３をコネクタ本体３２から突出させる。この第１コネクタ３をＰＤＣインターフェイスコネクタの嵌合凹部につき合わせる。
【００５３】
つき合わせた第１コネクタ３を嵌合凹部内に挿入して嵌合する。これにより、第１コネクタ３の第１プラス端子、第１マイナス端子とＰＤＣインターフェイスコネクタの特定のコネクタ端子（内蔵電池の外部出入力端子（給電端子））とが電気的に接続されて、給電源１６により内蔵電池（バッテリー）の充電が行われる。このとき、第１コネクタ３に抜出抑制部を設けることにより、第１コネクタ３がＰＤＣインターフェイスコネクタから抜け出ることなく充電を行える。
【００５４】
また、ＣＤＭＡ方式を利用した携帯電話機の内蔵電池を充電する場合には、携帯電話機用コネクタの第２コネクタ４がＣＤＭＡインターフェイスコネクタに嵌合し得る状態であれば、第２コネクタ４をＣＤＭＡインターフェイスコネクタの嵌合凹部につき合わせる。また、第２コネクタ４がＣＤＭＡインターフェイスコネクタに嵌合し得る状態でないとき、つまり、第２コネクタ４が接続凹部３３内に位置されているときには、コネクタ体３１を接続凹部３３から抜き取る。抜き取ったコネクタ体３１を第１コネクタ３が接続凹部３３内に位置されるように接続凹部３３に嵌合させて、第２コネクタ４をコネクタ本体３１から突出させる。この第２コネクタ４をＰＤＣインターフェイスコネクタの嵌合凹部につき合わせる。
【００５５】
つき合わせた第２コネクタ４を嵌合凹部内に挿入して嵌合する。これにより、第２コネクタ４の第２プラス端子、第２マイナス端子とＣＤＭＡインターフェイスコネクタの特定のコネクタ端子（内蔵電池の外部出入力端子（給電端子））とが電気的に接続されて、給電源１６により内蔵電池（バッテリー）の充電が行われる。このとき、第２コネクタ４に抜出抑制部を設けることにより、第２コネクタ４がＣＤＭＡインターフェイスコネクタから抜け出ることなく充電を行える。
【００５６】
したがって、本発明の携帯電子機器用コネクタ３０は、携帯電話機のインターフェイスコネクタに応じて対応したコネクタ３、４を選べることができるので、嵌合形状の異なる複数の携帯電話機のインターフェイスコネクタに接続することができる。このため、携帯電子機器用コネクタ３０を充電装置に設けることにより、嵌合形状の異なる複数の携帯電話機の充電を行えることになる。
【００５７】
図７及び図８には、本発明の第３の携帯電話機用コネクタが示されている。図７及び図８において、４０は携帯電話機用コネクタを示し、この携帯電話機用コネクタ４０の前記第１の携帯電話機用コネクタ１との異なるところは、コネクタ体４１を着脱自在にして２つの接続コネクタ３、４の対応するインターフェイスコネクタに嵌合し得る嵌合位置に変えられるようにした点である。前記携帯電話機用コネクタ１と同一部分には同一の符号を付し、その説明を省略する。
【００５８】
このコネクタ体４１の前記第１のコネクタ体２と異なるところは、接続端子４２、４２がそれぞれ扁平状に形成されている点である。
接続端子４２は、具体的には、第１コネクタ３及び第２コネクタ４の延在方向とほぼ直交する方向に沿って扁平状に形成されている。接続端子４２には、好ましくは例えば円形状の貫通孔４３を設けることがよい。
【００５９】
コネクタ本体４４は、例えばプラスチック等の樹脂によりコ字状に形成されている。コネクタ本体４４の両側部４５、４５の内面の間隔は、コネクタ体４１の長さ（両端面間の長さ）より長く、好ましくは若干長い寸法であることがよい。コネクタ本体４４の両側部４５、４５の対向する内面の先端部の近傍には、コネクタ体４１の扁平状の接続端子４２、４２がスライド係合するスライド溝４６、４６がそれぞれ設けられている。これらスライド溝４６、４６は、第１コネクタ３又は第２コネクタ４の対応するインターフェイスコネクタへの嵌合方向とほぼ直交する方向に沿って延在するように形成されている。
【００６０】
コネクタ体４１の接続端子４２及びスライド溝４６には、コネクタ体４１（接続端子４２）をスライド溝４６にスライド係合させたとき、コネクタ体４１（接続端子４２）がスライド溝４６から抜け難くする係合手段を設けることが好ましい。係合手段は、どのように構成してもよく、例えば、スライド溝４６に、接続端子４２の貫通孔４３に係合する係合突部４７を設けるようにしてもよい。
また、コネクタ体４１及びスライド溝４６は、コネクタ体４１のスライド溝４６へのスライド係合が左右が逆にならないように、つまりコネクタ体４１のプラスマイナスとコネクタ本体４４のプラスマイナスとが逆にならないように構成することが好ましく、例えば、２つの接続端子４２、４２の互いの長さや形状を変えたり、図示するように互いの厚さを変えたりするようにしてもよい。
【００６１】
スライド溝４６には、コネクタ体４１の接続端子４２と電気的に接触する連結端子４８がそれぞれ設けられ、これら連結端子４８の一部が接続端子４２の貫通孔４３に係合する係合突部４７であることが好ましい。係合突部４７は、スライド溝４６の表面から常に突出した状態であってもよいし、出没自在に形成してもよい。
連結端子４８は、携帯電話機用コネクタ４０が設けられる充電装置によって異なるが、携帯電話機の内蔵電池を充電する給電源１６又は給電源１６に接続される例えば電池接続端子１７、１８に電気的に接続される。給電源１６としては、携帯電話機の内蔵電池に直接充電できるようにできるだけ内蔵電池の電圧に近い電圧値になるようにするものが好ましい。このとき、そのまま接続し充電することができない場合には、例えば、コネクタ本体内に電圧調節部（制御回路）１９を設けることが好ましい。
【００６２】
充電装置としては、携帯電話機の内蔵電池を充電することができるならばどのようなものでもよく、例えば、電池２４に接続可能な電池接続端子１７、１８を設けてなる充電コネクタ４９、携帯電話機用充電池、電池を交換可能に収容する本体２１を備えてなる携帯電話機用充電器５０、給電源１６が商用電源である充電器等があげられる。
【００６３】
充電コネクタ４９としては、携帯電話機の内蔵電池を充電することができるならばどのように構成してもよい。具体的には例えば、図８に示すように、コネクタ本体４４の接続部５１とは反対側の端部に、電池に接続可能な電池接続端子１７、１８を設けて、充電コネクタ４９を構成してもよい。
電池接続端子としては、電池を接続することができるならばどのように構成してもよく、図示するように、電池のプラス極に接続されるプラス端子１７と、そのマイナス極に接続されるマイナス端子１８とからなるようにしてもよい。
電池接続子１７、１８には、連結端子４８が電圧調節部１９を介して、又は電圧調節部１９を介さずに電気的に接続されている。
【００６４】
電池を交換可能な携帯電話機用充電器５０としては、電池の交換を行えて繰り返し携帯電話機の内蔵電池の充電を行えるならばどのように構成してもよい。
携帯電話機用充電器５０は、具体的には例えば、図７に示すように、電池を１つ又は２つ以上を交換可能に収容する充電器本体２１と、その充電器本体の開口部を開閉する蓋２５と、充電器本体２１の一端部（一側部）に一体的に又は個別に取り付けられた携帯電話機用コネクタ４０と、充電器本体２１に収容された電池２４を接続する端子と、その端子により接続された電池のプラス極及びマイナス極と携帯電話機用コネクタ４０の連結端子４８とを接続する接続端子とからなる。
【００６５】
さて、この携帯電話機用コネクタ４０を用いて、例えばＰＤＣ方式を利用した携帯電話機の内蔵電池を充電する場合には、携帯電話機用コネクタ４０の第１コネクタ３がＰＤＣインターフェイスコネクタに嵌合し得る状態であれば、第１コネクタ３をＰＤＣインターフェイスコネクタの嵌合凹部につき合わせる。また、第１コネクタ３がＰＤＣインターフェイスコネクタに嵌合し得る状態でないとき、つまり、第１コネクタ３が接続部５１内に位置されているときには、コネクタ体４１をスライド溝４６を介して接続部５１から抜き取る。抜き取ったコネクタ体４１を第２コネクタ４が接続部５１内に位置されるように接続端子４２をスライド溝４６にスライド係合させて、第１コネクタ３をコネクタ本体４４から突出させる。この第１コネクタ３をＰＤＣインターフェイスコネクタの嵌合凹部につき合わせる。
【００６６】
つき合わせた第１コネクタ３を嵌合凹部内に挿入して嵌合する。これにより、第１コネクタ３の第１プラス端子、第１マイナス端子とＰＤＣインターフェイスコネクタの特定のコネクタ端子（内蔵電池の外部出入力端子（給電端子））とが電気的に接続されて、給電源１６により内蔵電池（バッテリー）の充電が行われる。このとき、第１コネクタ３に抜出抑制部を設けることにより、第１コネクタ３がＰＤＣインターフェイスコネクタから抜け出ることなく充電を行える。
【００６７】
また、ＣＤＭＡ方式を利用した携帯電話機の内蔵電池を充電する場合には、携帯電話機用コネクタの第２コネクタ４がＣＤＭＡインターフェイスコネクタに嵌合し得る状態であれば、第２コネクタ４をＣＤＭＡインターフェイスコネクタの嵌合凹部につき合わせる。また、第２コネクタ４がＣＤＭＡインターフェイスコネクタに嵌合し得る状態でないとき、つまり、第２コネクタ４が接続部５１内に位置されているときには、コネクタ体４１をスライド溝４６を介して接続部５１から抜き取る。抜き取ったコネクタ体４１を第１コネクタ３が接続部５１内に位置されるように接続端子４２をスライド溝４６にスライド係合させて、第２コネクタ４をコネクタ本体４４から突出させる。この第２コネクタ４をＰＤＣインターフェイスコネクタの嵌合凹部につき合わせる。
【００６８】
つき合わせた第２コネクタ４を嵌合凹部内に挿入して嵌合する。これにより、第２コネクタ４の第２プラス端子、第２マイナス端子とＣＤＭＡインターフェイスコネクタの特定のコネクタ端子（内蔵電池の外部出入力端子（給電端子））とが電気的に接続されて、給電源１６により内蔵電池（バッテリー）の充電が行われる。このとき、第２コネクタ４に抜出抑制部を設けることにより、第２コネクタ４がＣＤＭＡインターフェイスコネクタから抜け出ることなく充電を行える。
【００６９】
したがって、本発明の携帯電子機器用コネクタ４０は、携帯電話機のインターフェイスコネクタに応じて対応したコネクタ３、４を選べることができるので、嵌合形状の異なる複数の携帯電話機のインターフェイスコネクタに接続することができる。このため、携帯電子機器用コネクタ４０を充電装置に設けることにより、嵌合形状の異なる複数の携帯電話機の充電を行えることになる。
【００７０】
図９には、本発明の第４の携帯電話機用コネクタが示されている。図９において、６０は携帯電話機用コネクタを示し、この携帯電話機用コネクタ６０の前記第１の携帯電話機用コネクタ１との異なるところは、コネクタ体６１と給電源１６とが電線６２を介して電気的に接続されている点である。前記携帯電話機用コネクタ１と同一部分には同一の符号を付し、その説明を省略する。
【００７１】
このコネクタ体６１の前記コネクタ体６と異なるところは、コネクタ体６１に電線６２が接続されている点であり、この電線のプラス側電線と第１プラス端子、第２プラス端子とが電気的に接続されていると共に、マイナス側電線と第１マイナス端子、第２マイナス端子とが電気的に接続されて、携帯電話機用コネクタ６０が構成されている。
電線６２は、携帯電話機の内蔵電池を充電する給電源１６に接続されて、充電装置として形成される。給電源１６としては、携帯電話機の内蔵電池に直接充電できるようにできるだけ内蔵電池の電圧に近い電圧値になるようにするものが好ましい。このとき、そのまま接続し充電することができない場合には、例えば、コネクタ体６１内や給電源１６に電圧調節部（制御回路）１９を設けることが好ましい。
【００７２】
充電装置としては、携帯電話機の内蔵電池を充電することができるならばどのようなものでもよく、例えば、電池に接続可能な電池接続端子を設けてなる充電コネクタ、携帯電話機用充電池、給電源としての電池を交換可能に収容する本体２１を備えてなる携帯電話機用充電器６３、給電源が商用電源である充電器等があげられる。
【００７３】
電池を交換可能な携帯電話機用充電器６３としては、電池２４の交換を行えて繰り返し携帯電話機の内蔵電池の充電を行えるならばどのように構成してもよい。
携帯電話機用充電器６３は、具体的には例えば、図９に示すように、電池２４を１つ又は２つ以上を交換可能に収容する充電器本体２１と、その充電器本体２１の開口部を開閉する蓋２５と、充電器本体２１の一端部（一側部）に一体的に又は個別に取り付けられた携帯電話機用コネクタ６０と、充電器本体２１に収容された電池２４を接続する端子と、その端子により接続された電池２４のプラス極及びマイナス極と携帯電話機用コネクタ６０の連結端子とを接続する接続端子とからなる。
【００７４】
さて、この携帯電話機用コネクタ６０を用いて、例えばＰＤＣ方式を利用した携帯電話機の内蔵電池を充電する場合には、携帯電話機用コネクタ６０の第１コネクタ３をＰＤＣインターフェイスコネクタの嵌合凹部につき合わせる。つき合わせた第１コネクタ３を嵌合凹部内に挿入して嵌合する。これにより、第１コネクタ３の第１プラス端子、第１マイナス端子とＰＤＣインターフェイスコネクタの特定のコネクタ端子（内蔵電池の外部出入力端子（給電端子））とが電気的に接続されて、給電源１６により内蔵電池（バッテリー）の充電が行われる。このとき、第１コネクタ３に抜出抑制部を設けることにより、第１コネクタ３がＰＤＣインターフェイスコネクタから抜け出ることなく充電を行える。
【００７５】
また、ＣＤＭＡ方式を利用した携帯電話機の内蔵電池を充電する場合には、携帯電話機用コネクタの第２コネクタ４をＣＤＭＡインターフェイスコネクタの嵌合凹部につき合わせる。つき合わせた第２コネクタ４を嵌合凹部内に挿入して嵌合する。これにより、第２コネクタ４の第２プラス端子、第２マイナス端子とＣＤＭＡインターフェイスコネクタの特定のコネクタ端子（内蔵電池の外部出入力端子（給電端子））とが電気的に接続されて、給電源１６により内蔵電池（バッテリー）の充電が行われる。このとき、第２コネクタ４に抜出抑制部を設けることにより、第２コネクタ４がＣＤＭＡインターフェイスコネクタから抜け出ることなく充電を行える。
【００７６】
したがって、本発明の携帯電子機器用コネクタ６０は、携帯電話機のインターフェイスコネクタに応じて対応したコネクタ３、４を選べることができるので、嵌合形状の異なる複数の携帯電話機のインターフェイスコネクタに接続することができる。このため、携帯電子機器用コネクタ６０を充電装置に設けることにより、嵌合形状の異なる複数の携帯電話機の充電を行えることになる。
【００７７】
【発明の効果】
本発明により、嵌合形状の異なる複数の携帯電話機のインターフェイスコネクタに接続することができる携帯電話機用コネクタが得られる。
【図面の簡単な説明】
【図１】本発明の第１の携帯電話機用コネクタを携帯電話機用充電器に設けた一例を示す斜視図である。
【図２】本発明の第１の携帯電話機用コネクタを携帯電話機用充電器に設けた一例を示す斜視図である。
【図３】本発明の第１の携帯電話機用コネクタを充電コネクタに設けた一例を示す側面図である。
【図４】本発明の第１の携帯電話機用コネクタを充電器に設けた一例を示す斜視図である。
【図５】本発明の第２の携帯電話機用コネクタを携帯電話機用充電器に設けた一例を示す斜視図である。
【図６】本発明の第２の携帯電話機用コネクタを充電コネクタに設けた一例を示す側面図である。
【図７】本発明の第３の携帯電話機用コネクタを携帯電話機用充電器に設けた一例を示す斜視図である。
【図８】本発明の第３の携帯電話機用コネクタを充電コネクタに設けた一例を示す側面図である。
【図９】本発明の第４の携帯電話機用コネクタを充電器に設けた一例を示す斜視図である。
【符号の説明】
１　　携帯電話機用コネクタ
２　　接続部
３　　第１コネクタ（接続コネクタ）
４　　第２コネクタ（接続コネクタ）
６　　コネクタ体
【図１】
2004146317.tif 000003
【図２】
2004146317.tif 000004
【図３】
2004146317.tif 000005
【図４】
2004146317.tif 000006
【図５】
2004146317.tif 000007
【図６】
2004146317.tif 000008
【図７】
2004146317.tif 000009
【図８】
2004146317.tif 000010
【図９】
2004146317.tif 000011